(57)【要約】【課題】複数の線を容易に筆記することができ、かつ筆記具の筆記における滑らかさを体感できる筆記装置を提供する。【解決手段】板状の本体１に同一円周上かつ等間隔に配置された三つの挿入孔２を加工し、三つの挿入孔２にそれぞれ対応した固定手段３を有し、三つの挿入孔２内にボールペン、塗布具等の筆記具４を挿入し、ネジ等の固定手段３により固定されることで、従来にない複数の描線を容易でかつ滑らかに筆記することが出来る。【選択図】図３
2010155399.tif 000002
【特許請求の範囲】
【請求項１】
筆記具が挿入可能な複数の挿入孔を形成した本体と、
前記複数の挿入孔には各々の挿入孔に対して筆記具を固定するための固定具が取り付けられた筆記装置。
【請求項２】
前記複数の挿入孔における各々の挿入孔の中心は前記本体内において略同一円周上に配置されている請求項１記載の筆記装置。
【請求項３】
前記複数の挿入孔は、各々の挿入孔の中心は隣接する挿入孔の中心と略等間隔に配置されている請求項２記載の筆記装置。
【請求項４】
前記挿入孔は、３つ以上である請求項３記載の筆記装置。
【請求項５】
前記筆記装置に筆記具が取り付けられた請求項１〜４記載の筆記具。
【発明の詳細な説明】
【技術分野】
【０００１】
本技術は、複数の筆記具を取り付けて、容易かつ滑らかに筆記することが可能な筆記装置に関する。
【背景技術】
【０００２】
従来、製図や筆記における線引きにおいて、複数の筆記具を用いて同時に複数の線を筆記することが不便であった。そこで、複数の線を容易に筆記すべく、制御部に複数の柱状体と柱状体にと一体になった筆記部分に相当する先端部が同一直線状に取り付けられている筆記具が開示されている。（特許文献１）
【特許文献１】特開平６−１６６２９３
【発明の開示】
【発明が解決しようとする課題】
【０００３】
しかし、特許文献１の筆記具は、手に持って線を引く場合において、制御部の傾斜によっては複数の線を引くことや、筆記者の思うとおりに滑らかに筆記することが困難であることが挙げられる。更に筆記をしていない時において、常時手で持ち続けたり、手を離しても別の物体で支えていないと筆記具が転倒する欠点がある。
【０００４】
上記従来技術のような課題を解決すべく、発明者は鋭意検討した結果、上記の点に鑑み、本発明は、複数の筆記具を取り付けて、複数の線を容易に筆記することができ、かつ筆記具の筆記における滑らかさを体感できて、筆記しない時には転倒しないで状態を保持する筆記装置の提供を課題とする。
【課題を解決するための手段】
【０００５】
即ち上記の課題に鑑み、下記の点を特徴とする。
（１）筆記具が挿入可能な複数の挿入孔を形成した本体と、前記挿入孔には各々の挿入孔に対して筆記具を固定するための固定具が取り付けられた筆記装置。
（２）前記挿入孔は、各々の挿入孔の中心は本体内において略同一円周上に配置されている（１）記載の筆記装置。
（３）前記挿入孔は、各々の挿入孔の中心は隣接する挿入孔の中心と略等間隔に配置されている（２）記載の筆記装置。
（４）前記挿入孔は、３つ以上である（３）記載の筆記装置。
（５）前記筆記装置に筆記具が取り付けられた（１）〜（４）記載の筆記具。
【０００６】
本体には、切削加工や光造形加工によって、筆記具を取り付けるための挿入孔を形成するが、特に加工方法については指定しない。また、挿入孔については本体とは別に筒状の部品を加工して本体と接着等による取り付けをしてもよい。
【０００７】
挿入孔の位置は、本体内に位置し、筆記時の安定を得るため、各挿入孔の中心位置は略同一円周上かつ隣接する挿入孔と略等間隔であることが望ましい。挿入孔の数については、筆記時の安定から筆記具を取り付けた際に筆記していない静止状態でも倒れないようにするため、３つ以上が必要である。更に筆記具を取り付けて各筆記先端（ペン先）部で面が形成され、かつ取り付け後の各筆記先端（ペン先）部が筆記面に接地する必要があることから、バランス調整が容易にできる３つの挿入孔が望ましい。挿入孔の大きさは取り付ける筆記具より大きければよい。
【０００８】
固定具は、挿入孔に挿入した筆記具を固定するためのものであるが、ネジ込みによる固定、スライドピンによる固定、クリップによる固定等、筆記具が固定できる手段であれば特に指定しない。
【０００９】
本筆記装置の材質は、取り付ける筆記具を傷つけないような材質かつ筆記への影響が出にくい比重の軽い材質、主に樹脂、例えばアクリル、ポリプロピレン、ポリアセタール、軽金属類等が望ましい。
【００１０】
本筆記装置に筆記具を取り付ける際は、ペン先を下向きにして筒の内部を挿入、貫通し、固定具で筆記具が動かないように固定する。筆記具への固定位置は、筆記具の重心よりペン先側に位置することと各筆記具同士の軸体への取り付け位置が略同一位置にすることで筆記時の安定性が向上するため望ましい。
【発明の効果】
【００１１】
本発明は上記の通り構成されているので、複数の線を容易にかつ安定して筆記することができる。また、挿入孔に固定された全ての筆記具を交換又はもう１つの装置を用意し、例えばインクの種類やメーカーの異なる別の筆記具を用いて構成することによって、筆記具製品の滑らかさを比較し体感できる装置となる。また、筆記具の先端を収納又はキャップをせず、紙面の上で筆記せずに静止状態を維持するとインクのボタ落ち試験装置として用いることが出来る。
【発明を実施するための最良の形態】
【００１２】
本発明の実施形態について、図面を参照しつつ説明する。
【００１３】
図１及び図２（ａ）〜（ｃ）は本発明の筆記装置に関する図である。
本実施形態は、本体１に形成する挿入孔２は、挿入筒１０として本体１とは別の部品として加工し取り付けた。また、固定具３は挿入筒１０の側面部に取り外しが可能なように形成されている。取り付ける筆記具は３本としている。
【００１４】
本体１は円板になっているが、挿入筒１０が取り付けられれば、材質や形状、枚数は特に指定しない。本実施形態は、書きやすさと装置製造の作りやすさの点から、厚さ５ｍｍ、外径１００ｍｍの１枚の樹脂製の円板で形成した。本実施形態においては、本体１には挿入筒１０の外径と略同径の穴を３つ形成した。
【００１５】
挿入筒１０は、側面部に固定具３を取り付ける穴が形成されている。固定具３を取り付ける穴は、筆記具の固定力の調整が容易であるネジ穴を形成した。ネジ穴の位置は、本実施形態では、挿入筒１０の側面部に形成しているが、本体の側面部１１に形成してもよい。挿入筒１０の形状は一般的な筆記具は棒状部分を有しているため、棒状体を安定して保持できる形状、例えば円挿入筒形状が望ましいが、筆記具が挿入可能であれば、特に指定しない。
大きさは一般的な筆記具を固定した際の安定の点から、本実施形態では外径２０ｍｍ、内径１５ｍｍ、高さは本体の厚さを含めて２０ｍｍとしている。高さについては筆記具長の１０％〜３０％が望ましく、高さが筆記具長の１０％より短いと固定してもガタツキで安定せずかつ３０％より長いとクリップ等の飾り部品等が挿入筒内に筆記具が入らずペン先が挿入筒の下端面から出すことができなくなる恐れがある。挿入筒１０の本体１への固定については、本実施形態では挿入筒１０の端部から５ｍｍの外周部に接着剤を塗布することによって固定されているが、本体１から容易に外れない方法であれば特に指定しない。挿入筒１０の本体１への取り付け位置は、各挿入筒１０の中心は、本体１の中心から半径３５ｍｍの円周上かつ互いに１２０゜の位置に振り分けられている（隣接する挿入筒１０の中心距離は約６０ｍｍとなっている）。
【００１６】
固定具３はネジを採用し、挿入筒１０の側面部にネジ穴加工されたネジ部にねじ込み、ネジの先端が筆記具を押し付けることにより固定が可能となる。固定方法については、筆記時に筆記具がズレたりして安定した筆記が得られないことにならなければ、特に指定しない。また、ネジの緩みの頻度が多い場合は、挿入筒１０の端面にネジ穴を加工し、別のネジにより固定具３の側面を固定してもよい。
【００１７】
図３は本発明の筆記装置に筆記具を取り付けた図である。
挿入筒に挿入する筆記具は、市販されているボールペン、シャープペンシル、鉛筆等、線、文字等が筆記できてかつ挿入筒に取り付けられ、固定具によって固定できる形状であれば特に制限はない。
【００１８】
筆記具４の取り付け方は、筆記具４における固定具３との固定される位置は、３本の各筆記具で略同位置に固定すると全体の重心バランスが取れて望ましい。略同位置に容易に固定するには、クリップをガイドにして、本体１表面と接触しつつ固定すると良い。
【００１９】
筆記具４を取り付けた筆記装置１で筆記する際は、本体の側面部１１を持って筆記すると滑らかな書き味で複数の描線を得ることが出来る。その際に固定具３が筆記具４を固定する位置を筆記具４の重心より前の筆記先端（ペン先）側にすると更に筆記がしやすくなる。
【００２０】
図４は、本実施形態を含んだ販売容器のセット構成である。
筆記の滑らかさを比較体感できる筆記装置であることから、販売容器とセットで持ち運ぶこともあるため、小型であることが好ましい。なお、販売容器は、本筆記装置、筆記具、筆記用紙、樹脂サンプル、インクサンプル、リーフレット等を収納している。
【図面の簡単な説明】
【００２１】
【図１】本発明における筆記装置の斜視図である。
【図２】（ａ）は図１の平面図、（ｂ）は図１の正面図、（ｃ）は図１の側面図である。
【図３】図１の筆記装置に筆記具を取り付けた図である。
【図４】図１の筆記装置を含んだ販売容器の一覧である。
【符号の説明】
【００２２】
１  本体
２  挿入孔
３  固定具（ネジ）
４  筆記具
１０  挿入筒
１１  側面部
【図１】
2010155399.tif 000003
【図２】
2010155399.tif 000004
【図３】
2010155399.tif 000005
【図４】
2010155399.tif 000006